(57)【要約】【構成】ヒンジ２６に焦点切り替え用のスイッチであるレバー部３６ｂを設け、メイン表示部２０とは逆の面にカメラ３０を設けたことにより、メイン表示部２０を見ながら焦点切り換えのためのレバー部３６ｂを使用者は操作することができる。また、レバー部３６ｂ備える操作レバーは筐体の円筒状のヒンジ２６に中に配置されるため、ヒンジユニット２６ａ、２６ｂが配置されていなかった空間を利用でき、操作レバーを設けても本体の大きさを大きくすることなく構成することができる。【効果】モード切換の操作が容易に行える。【選択図】図１
2008067114.tif 000002
【特許請求の範囲】
【請求項１】
第１筐体とヒンジ部で結合された第２筐体からなる携帯通信端末において、
いずれか一方の筐体にカメラを備え、該カメラは、第１の位置と第２の位置を移動することで焦点を切り換える焦点切換機構を含み、
曲面状の前記ヒンジ部に沿った曲面的なスライド運動を前記第１の位置と第２の位置を移動するために前記焦点切換機構に伝える焦点切換手段を備えることを特徴とする携帯通信端末。
【請求項２】
いずれかの前記筐体の第１面にメイン表示部を備える請求項１記載の携帯通信端末において、
前記カメラは第１面と逆の面に設けられ、使用者が操作する前記焦点切換手段は第１面と同じ面に備えたことを特徴とする携帯通信端末。
【発明の詳細な説明】
【技術分野】
【０００１】
この発明は、カメラのレンズのマクロ切り替え可能な携帯通信端末に関するものである。
【背景技術】
【０００２】
従来のこの種の装置の一例が、特許文献１に開示されている。この従来技術によれば、カメラを備えた携帯通信端末は、マクロ切り換えのレバーをカメラと同一面に設け、そのレバーを操作することで、マクロの切り換えを行っている。
【特許文献１】特開２００６−１３３４５０号公報
【発明の開示】
【発明が解決しようとする課題】
【０００３】
しかし、焦点切換手段であるマクロの切り替えレバーは、カメラと同一面に存在しているため、カメラと逆の筐体面側に備えているメイン表示部を見ながら、操作することは難しかった。
【０００４】
また、メイン表示部を備える筐体の側面にこのレバーを配置した例は、例えば弊社製のAU事業者向け携帯電話端末A5505SA(取扱説明書P18)があります。しかしながら、この場合でも使用者は端末を持ち替えたり、握り替えたり、両手を使ったりしないと、焦点切換を行うことは出来ず、使用者は少し手間がかかってしまうこともあった。また、そのレバーを配置するためにスペースが必要となり、大きな表示部の配置や部品配置に影響を与えてしまうことがある。
【課題を解決するための手段】
【０００５】
請求項１の発明は、第１筐体とヒンジ部で結合された第２筐体からなる携帯通信端末において、いずれか一方の筐体にカメラを備え、該カメラは、第１の位置と第２の位置を移動することで焦点を切り換える焦点切換機構を含み、曲面状の前記ヒンジ部に沿った曲面的なスライド運動を前記第１の位置と第２の位置を移動するために前記焦点切換機構に伝える焦点切換手段を備えることを特徴とする携帯通信端末である。
【発明の効果】
【０００６】
この発明によれば、ヒンジ部にそのレバーを設けたので、デッドスペースを有効に利用できる。
【０００７】
また、メイン表示部を見ながら簡単に焦点切換のスイッチ（焦点切換のレバー）を切り替えることが出来るので、切換による撮影された画像、映像の変化がメイン液晶で直ぐにそのまま確認でき、使用者にとって便利である。
【０００８】
さらに、使用者に操作した感じを伝えるために機械的なクリック感を簡単な形状で構成できる。
【発明を実施するための最良の形態】
【０００９】
この実施例の携帯通信端末の外観図を図１に示す。
【００１０】
１はレシーバ、２０は通信状態、端末状態や入力した内容が表示されるメイン表示部、２１は閉じているときに、時刻の報知、新着の情報に関する報知、状態の報知を行うサブ表示部、２２はカメラ撮影時に発行するフラッシュであり、ユーザの操作により常時点灯するライト機能としても使用可能である。２４は電池パックであり、本体より取り外し可能となっている。２５は背面に設けられたスピーカであり、着信音や警告音などを出力する。
３０は写真の撮影や、動画の撮影を行うカメラ、３６ｂはカメラのマクロ撮影切替スイッチであり、ヒンジ部２６の円筒に沿ってスイッチ切り替えがなされ、第１の位置で被写体に近づいて撮影するモードとなり、第２の位置で通常の風景を撮影するモードとなる切替用のレバー部である。
４は、ダイヤルキー、発信キー、メールキー、スクロールキー、などからなり、操作者のキー入力を行う操作部、５は、通話中にこちらの声を入力したり、カメラでムービーを撮影するときに音声を入力するマイクである。
【００１１】
図示しないが、これら筐体はメイン表示部２０と操作部４が内側になるようにヒンジ部２６を軸として閉じるものであり、その状態でもサブ表示部２１、カメラ３０は外側に露出したままである。
【００１２】
図２はカメラ部分の分解図面である。この焦点切換機能付きのカメラ３０は、焦点切り換え機能を持つカメラモジュール３２と、撮影軸を中心軸に円状の動作で焦点を切り換えるためのカメラレバー３３と、それらを組み合わせたカメラケース３４とからなるカメラユニット３５と、Ｕ字状の溝３６ａと使用者が操作するためのレバー部３６ｂと固定ネジ３７がワッシャ３７ａをとおり、貫通する穴３６ｃとからなる操作レバー３６とで構成されるカメラブロック３１からなる。図示はしていないが、カメラモジュール３２の受光面側に保護するための透明部材を配置してもよい。
【００１３】
図３ないし図４はカメラ部分を組み立てた状態を示す図である。固定ネジ３７を固定する際にＵ字状の溝３６ａにカメラレバー３３がはまり込む。この状態で操作レバー３６は所定の角度回転可能となる。この操作レバーの回転Ｚによりカメラレバー３３は撮影軸に対し回転運動Ｘを行う。つまり、操作レバーを矢印Ｚ方向へ回転させると、カメラレバー３３は矢印Ｘ方向へ回転し、焦点切り替えがなされる。
【００１４】
また、図４の側面図に示すように、操作レバー３６の少なくとも一部の外側は円弧ではなく、なだらかな凹凸部３８を備えている。この凹凸部３８はカメラモジュールの一端に設けられたリブ３９に当接し、凹凸部３８とリブ３９によって使用者に操作レバーを回転させた際に一定のクリック感を与えている。つまり、凹凸部３８の山を乗り越え、リブ３９が凹部に滑り込むようになることで、クリック間が発生するようになる。このリブ３９はカメラモジュール３２に設けなくとも、操作レバーの回転外周が通る場所であればどこに設けてもよく筐体本体でもよい。
【００１５】
図５はヒンジ部分の部分拡大図である。筐体に構成されたヒンジ２６の筒の中にヒンジユニット２６ａ、２６ｂがそれぞれ両端に配置される。そのヒンジユニット２６ａ、２６ｂの間に前述したカメラユニット３５が配置され、レバー部３６ｂが筐体のヒンジ２６部分に設けられた溝から外へ突出する。したがって、カメラユニット３５は筐体のヒンジ２６に覆われ、使用者が操作するレバー部３６ｂと撮影するレンズ部（受光面側）のみが筐体を組み立てたときに外から見えることとなる。
【００１６】
次に、使用者がカメラ撮影をする際について説明する。
【００１７】
図１において、カメラ３０はサブ表示部と同じ方向を向いており、撮影する側となる。使用者はカメラ３０で撮影したものをメイン表示部２０に表示する。被写体のとの位置関係により焦点切り替えを行う。この場合、使用者はメイン表示部２０に表示した状態で端末を持ち替えることなくレバー部３６ｂを操作し、焦点を切り換えることができる。
【００１８】
つまり、使用者は円筒状のヒンジ２６にあるレバー部３６ｂを円筒状に沿った回転軌跡で移動させることで、カメラ３０の焦点切り換え機構が動作し、使用者の目的にあった焦点調整がメイン表示部を見ながら端末を持った片手で簡単に行うことができる。
【００１９】
また、ヒンジユニット２６ａ、２６ｂとの間にカメラユニットが配置されているので、ヒンジのスペースが有効利用できるため、メイン表示部やサブ表示部を大型化する際にもカメラユニットやレバー部３６ｂが邪魔をすることなく配置できる。
【００２０】
さらに、従来、焦点切替機構のクリック感は、金属バネ、樹脂バネなど別部材を用いていたが、本発明では筐体やカメラユニットなどの成型品で設計できるため、簡単な構造で部品点数も削減でき、さらにクリック感を得ることができる。
【図面の簡単な説明】
【００２１】
【図１】この実施例の携帯通信端末を示す外観図である。
【図２】一実施例のカメラ部分の分解図面である。
【図３】一実施例のカメラ部分の組み立て図面である。
【図４】図３の側面図である。
【図５】一実施例のヒンジ部分の部分分解図である。
【図６】図５の裏面から見た図面である。
【符号の説明】
【００２２】
１    …レシーバ
２０  …メイン表示部
２１  …サブ表示部
２２  …フラッシュ
２４  …電池パック
２５  …スピーカ
３０  …カメラ
３１  …カメラブロック
３２  …カメラモジュール
３３  …カメラレバー
３４  …カメラケース
３５  …カメラユニット
３６  …操作レバー
３７  …固定ネジ
３８  …凹凸部
３９  …リブ
【図１】
2008067114.tif 000003
【図２】
2008067114.tif 000004
【図３】
2008067114.tif 000005
【図４】
2008067114.tif 000006
【図５】
2008067114.tif 000007
【図６】
2008067114.tif 000008